(57)【要約】【課題】本発明は、薬剤注入装置に関するもので、治療効果を高めることを目的とするものである。【解決手段】そして、この目的を達成するために、薬剤シリンジ装着部を有する本体ケースと、このカートリッジホルダ７に装着される薬剤シリンジ８に対して可動自在に設けたピストン９と、このピストン９を駆動する駆動機構と、この駆動機構に電気的に接続した制御部１４と、この制御部１４に接続された表示部および記憶部１５と、を備え、前記制御部１４は、前記駆動機構によって薬剤シリンジ８内の薬剤を注射針から押し出し動作させた後に、前記表示部６に次回の薬剤投与日を表示させ、この次回の薬剤投与日に対する確認入力を受け付けると、前記表示部６に、前記次回の薬剤投与日に対応する時事情報を前記記憶部１５から読み出して表示させる。【選択図】図７
2015139485.tif 000002
【特許請求の範囲】
【請求項１】
薬剤シリンジ装着部を有する本体ケースと、この薬剤シリンジ装着部に装着される薬剤シリンジに対して可動自在に設けたピストンと、このピストンを駆動する駆動機構と、この駆動機構に電気的に接続した制御部と、この制御部に接続された表示部および記憶部と、を備え、
前記制御部は、前記駆動機構によって薬剤シリンジ内の薬剤を注射針から押し出し動作させた後に、前記表示部に次回の薬剤投与日を表示させ、この次回の薬剤投与日に対する確認入力を受け付けると、前記表示部に、前記次回の薬剤投与日に対応する時事情報を前記記憶部から読み出して表示させる構成とした薬剤注入装置。
【請求項２】
前記制御部は、薬剤投与日に対応する時事情報として、過去の薬剤投与日に発生した時事を表示させる構成とした請求項１に記載の薬剤注入装置。
【請求項３】
前記制御部は、薬剤投与日に対応する時事情報として、この薬剤投与日の記念日情報を表示させる構成とした請求項１に記載の薬剤注入装置。
【請求項４】
前記制御部は、薬剤投与日に対応する時事情報として、選択した国における記念日情報を表示させる構成とした請求項３に記載の薬剤注入装置。
【請求項５】
薬剤投与日毎に複数の時事情報を対応させ、この複数の時事情報を前記記憶部に記憶させる構成とした請求項２から４のいずれか一つに記載の薬剤注入装置。
【請求項６】
前記制御部は、薬剤投与日に対応する複数の時事情報から一つの時事情報を選択して表示させる構成とした請求項５に記載の薬剤注入装置。
【発明の詳細な説明】
【技術分野】
【０００１】
本発明は、例えば、インスリンや成長ホルモンなどの薬剤を投与する薬剤注入装置に関するものである。
【背景技術】
【０００２】
従来のこの種の薬剤注入装置の構成は、以下のようになっていた。
即ち、薬剤シリンジ装着部を有する本体ケースと、この薬剤シリンジ装着部に装着される薬剤シリンジに対して可動自在に設けたピストンと、このピストンを駆動する駆動機構と、この駆動機構に電気的に接続した制御部と、この制御部に接続された表示部および記憶部と、を備えた構成となっていた（例えば、下記特許文献１）。
【先行技術文献】
【特許文献】
【０００３】
【特許文献１】特開２０１２−５０８４７号公報
【発明の概要】
【発明が解決しようとする課題】
【０００４】
上記従来例においては、本体ケース内に設けた薬剤シリンジ装着部に薬剤シリンジを装着した後、患者自身が薬剤注入ボタンを押すことにより、駆動機構によってピストンが駆動されて、薬剤シリンジ内の薬剤が所定量だけ患者に対して注入されるようになっていた。
すなわち、この種の薬剤注入装置は、患者自身が、自らの操作によって薬剤を自身の体内に注入するものであって、例えば、インスリンを１週間に１回投与する時に活用されている。
【０００５】
しかしながら、今回薬剤を投与すると次回の薬剤投与は１週間後になるので、時として次回の薬剤の投与日を忘れてしまい、適切な薬剤投与がなされないことがある。その結果として、治療効果が低くなってしまう惧れがあった。
そこで本発明は、治療効果を高めることを目的とする。
【課題を解決するための手段】
【０００６】
そして、この目的を達成するために、本発明は、薬剤シリンジ装着部を有する本体ケースと、この薬剤シリンジ装着部に装着される薬剤シリンジに対して可動自在に設けたピストンと、このピストンを駆動する駆動機構と、この駆動機構に電気的に接続した制御部と、この制御部に接続された表示部および記憶部と、を備え、前記制御部は、前記駆動機構によって薬剤シリンジ内の薬剤を注射針から押し出し動作させた後に、前記表示部に次回の薬剤投与日を表示させ、この次回の薬剤投与日に対する確認入力を受け付けると、前記表示部に、前記次回の薬剤投与日に対応する時事情報を前記記憶部から読み出して表示させる構成とし、これにより所期の目的を達成することができる。
【発明の効果】
【０００７】
以上のように、本発明は、薬剤シリンジ装着部を有する本体ケースと、この薬剤シリンジ装着部に装着される薬剤シリンジに対して可動自在に設けたピストンと、このピストンを駆動する駆動機構と、この駆動機構に電気的に接続した制御部と、この制御部に接続された表示部および記憶部と、を備え、前記制御部は、前記駆動機構によって薬剤シリンジ内の薬剤を注射針から押し出し動作させた後に、前記表示部に次回の薬剤投与日を表示させ、この次回の薬剤投与日に対する確認入力を受け付けると、前記表示部に、前記次回の薬剤投与日に対応する時事情報を前記記憶部から読み出して表示させる構成としたので、治療効果を高めることができる。
【０００８】
すなわち、本発明においては、薬剤の投与後に次回の薬剤投与日を表示させ、この次回の薬剤投与日に対する確認入力を受け付けると、次回の薬剤投与日に対応する時事情報を記憶部から読み出して表示させる。
このため、薬剤の投与後に患者が次回の薬剤投与日を確認すると、この投与日確認を行ったサービスとして、薬剤投与日に関する時事情報が、次回の薬剤投与時に表示されることとなる。
【０００９】
したがって、患者は「次の薬剤投与日の時事情報は何だろう？」と楽しみにしながら、薬剤投与日を確認する事ができ、この確認により適切な薬剤投与が行われることとなる。
その結果として、治療効果を高める事ができるものとなる。
また、たとえ次回の薬剤投与日を忘れていたとしても、例えばテレビニュースにより「本日は○○記念日です」と聞けば、薬剤投与日であることを思い出し、このような状況からも薬剤投与が適切に行われ、その結果として、治療効果を高める事ができるのである。
【図面の簡単な説明】
【００１０】
【図１】本発明の一実施形態にかかる薬剤注入装置を示す斜視図
【図２】同、斜視図
【図３】同、断面図
【図４】同、制御ブロック図
【図５】同、表示部の表示例を示す図
【図６】同、表示部に表示される時事情報のテーブルを示す図
【図７】同、動作フローチャート
【図８】同、薬剤注入情報テーブルを示す図
【図９】同、表示部の表示例を示す図
【図１０】同、表示部の表示例を示す図
【図１１】同、表示部に表示される時事情報のテーブルを示す図
【図１２】同、表示部の表示例を示す図
【発明を実施するための形態】
【００１１】
以下、本発明の一実施形態を、添付図面を用いて説明する。
（実施の形態１）
図１〜図３に示すごとく、本実施形態の薬剤注入装置１は、筒状の本体ケース２を備えている。そして、その一端側（下端側）には、図３の注射針３が装着されるようになっており、他端側（上端側）には、電源ボタン４と、薬剤注入ボタン５と、表示部６が設けられている。そして、電源ボタン４が操作されると薬剤注入装置１の電源がオン、オフされるようになっている。
【００１２】
本体ケース２の一端側（下端側）には、カートリッジホルダ７が、図１、図２に示すごとく、開閉自在に設けられており、このカートリッジホルダ７内に、薬剤シリンジ８が装着されるようになっている。すなわち、カートリッジホルダ７は、薬剤シリンジ装着部となっている。
薬剤を投与する時には、図１のように、薬剤シリンジ８をカートリッジホルダ７内に収納させ、図２のように、カートリッジホルダ７を閉めた状態とする。
【００１３】
このように、カートリッジホルダ７内に薬剤シリンジ８が装着された状態で、図３に示すごとく、本体ケース２の内部では、薬剤シリンジ８の後方に、ピストン９が薬剤シリンジ８に対して可動自在に設けられている。このピストン９は、ピストン送りねじ１０、歯車１１、モータ１２によって構成された駆動機構によって、駆動される構成となっている。
そして、薬剤シリンジ８の前方に注射針３を装着し、この注射針３を皮膚に刺針した状態で、駆動機構によりピストン９を前方に移動させれば、薬剤シリンジ８内の薬剤が、人体に注入される構成となっている。
【００１４】
なお、図３において、１３は、各部に電源を供給するための電池である。
図４は、各部の電気的な接続状態を示している。
駆動機構を構成するモータ１２は制御部１４に接続され、この制御部１４が、モータ１２を駆動する構成となっている。
制御部１４には、上述した電源ボタン４、薬剤注入ボタン５、表示部６、電池１３、記憶部１５、時計１６も接続されている。なお、この図４では、電池１３は制御部１４にだけ接続された状態としているが、この図４に示す各部に電源を供給する構成となっている。
【００１５】
以上の構成において、本実施形態における特徴点は、薬剤の投与後に患者が次回の薬剤投与日を確認すると、この確認を行ったサービスとして、薬剤投与日に関する時事情報を、次回の薬剤投与時に表示することである。
具体的には、図５に示すように、次回の薬剤投与日情報（図５のＥ１）とともに、この薬剤投与日に対応する時事情報（図５のＥ２）をサービス情報として表示部６に表示させる。
【００１６】
この時事情報は、過去の薬剤投与日に発生した時事であり、例えば、図６の時事情報テーブルＪ１に示すように、「５月１０日の（１）国鉄の初乗り運賃30円。グリーン車登場（１９６９）」である。
また、この時事情報は、この薬剤投与日の記念日情報であり、例えば、時事情報テーブルＪ１に示すように、「５月１０日の（２）愛鳥週間（５月１６日まで）」である。
なお、時事情報は、１年３６５日の各日毎に５個（複数個）の時事情報を対応させ、この複数個の時事情報を記憶部１５に記憶している。
【００１７】
図７は、本実施形態における薬剤投与動作をさせるためのフローチャートであり、そのプログラムは図４の記憶部１５に記憶されている。このプログラムは、制御部１４により実行される。
また、図８は、この動作を行うために必要な薬剤情報テーブルＴ１を示している。この薬剤投与情報Ｔ１には、薬剤投与情報として、以下の４つの情報が記録されている。
（１）薬剤の種類：薬剤シリンジ８内の薬剤の種類を示す。
（２）投与間隔：薬剤の投与間隔を示す。
（３）薬剤投与日：薬剤を投与した日を示す。
（４）投与日確認：薬剤の投与後に患者が次回の薬剤投与日を確認したか否か（薬剤投与日に対する確認入力を受け付けたか否か）を示す。
【００１８】
（１）薬剤の種類と（２）投与間隔は薬剤毎に決められるもので、薬剤投与動作を行う前に薬剤投与情報Ｔ１に設定し、記憶部１５に記憶させておく。今回は、薬剤シリンジ８内の薬剤はＡＡで、その投与間隔は７日となっている。
（３）薬剤投与日、（４）投与日確認は、前回の薬剤投与状況が記録されるもので、前回の薬剤投与日は「２０１３年５月３日」で、この前回の薬剤投与後には患者が次回の薬剤投与日を確認したことを「有り」で示している。
【００１９】
以下に、図７のフローチャートを用いて薬剤投与動作を説明する。
今回は、図８の薬剤投与情報Ｔ１が記憶部１５に記憶されている状態を例にとって説明する。具体的には、２０１３年５月３日に薬剤の投与を行い、次回の薬剤投与日を５月１０日と確認した後で薬剤注入装置１の電源をオフにし、薬剤投与日の２日前の５月８日に再び薬剤注入装置１の電源をオンした場合から説明する。
患者が電源ボタン４を操作すると薬剤注入装置１の電源がオンになり、制御部１４が起動して起動画面を表示する（図７のＳ１）。
【００２０】
その後、システムの起動処理が行われ、薬剤注入装置１を構成する各部が初期化される（図７のＳ２）。
次に、次回投与日を表示部６に表示させる（図７のＳ３）。
具体的には、記憶部１５の薬剤投与情報Ｔ１を読み出し、（３）薬剤投与日の「２０１３年５月３日」に、（２）投与間隔の「７日」を加えて、次回薬剤投与日を２０１３年５月１０日と算出する。また、図４の時計１６から今日の日付（例えば２０１３年５月８日）を取得し、次回薬剤投与日と比較して、次回薬剤投与日を２日後と算出する。そして、図５に示すように、表示部６に、次回の薬剤投与日情報（図５のＥ１）を「次の注射は  ２０１３／５／１０  (２日後の金曜日)」と表示する。
【００２１】
次に、前回の薬剤投与後に、患者が次回の薬剤注入日に対する確認入力を行ったか否かの確認が行われる（図７のＳ４）。
具体的には、薬剤投与情報Ｔ１の（４）投与日確認により、前回の薬剤投与後に患者が次回の薬剤投与日を確認したか否かが確認される。
なお、この（４）投与日確認の設定については後で説明する。
今回は、（４）投与日確認が「有り」となっているので、前回の薬剤投与後に、患者は次回の薬剤注入日に対する確認入力を行っている。
【００２２】
すると、制御部１４は、図６の時事情報テーブルＪ１から、次回の薬剤投与日（２０１３年５月１０日）に対応する５個の時事情報を読み出す。
そして、この５個の時事情報の中から、ランダムに１個の時事情報を抽出し、投与日確認を行ったサービスとして、この時事情報を表示部６に表示する。例えば、今回は、５月１０日の５個の時事情報の中から、（４）番目の時事情報「日本気象協会創立（1950年）気象情報の伝達・配布、気象調査、気象知識の普及等を行っています。」を抽出し、この時事情報（図５のＥ２）を表示部６に表示する（図７のＳ５）。
【００２３】
すなわち、まだ薬剤投与日ではない時も、前回の薬剤の投与後に患者が次回の薬剤投与日を確認すると、この投与日確認を行ったサービスとして、薬剤投与日に対応する時事情報（図５のＥ２）を、再び薬剤注入装置１の電源がオンされた時（電源ボタンが操作された）時に表示するのである。
このため、投与日確認を行っている患者は、時事情報を楽しみながら次回の薬剤投与日を再確認してもらう事ができる。
【００２４】
なお、上述のように、制御部１４は、次回の投与日に対応する５個の時事情報の中から、ランダムに１個の時事情報を抽出し、表示部６に表示させる。このため、同じ時事情報が続けて表示される事は少なくなり、毎回異なる時事情報を楽しみながら、次回の薬剤投与日を確認してもらう事が期待できる。
なお、図７のＳ４で、（４）投与日確認が「無し」となっている時は、時事情報は表示せず、図７のＳ６に制御が移る。
【００２５】
図７のＳ６では、患者による指示を待つ。今回は、まだ薬剤投与日まで２日あるので薬剤投与は行わず、患者は電源ボタン４を操作して電源をオフにする（図７のＳ７）。
さてその後、２日が経過し、薬剤投与日（つまり２０１３年５月１０日）になると、患者は薬剤投与を行うために電源ボタン４をオンにする。すると、図７のＳ１〜Ｓ６の処理が繰り返される。この時も、薬剤投与情報Ｔ１の（４）投与日確認が「有り」なので、サービスとして時事情報（図５のＥ２）が表示される。
【００２６】
今回は薬剤投与日なので、患者は表示部６のＯＫボタンを押して薬剤投与処理へと進む（図７のＳ８）。
この薬剤投与処理は従来の処理と同じであるので詳細な説明は省略するが、注射針３を人体に刺針し、次に、薬剤注入ボタン５を押せば、モータ１２が駆動され、その結果、歯車１１を介して、ピストン９が前方に押し出され、これにより、薬剤シリンジ８内の薬剤が注射針３を介して人体に注入される。その後、図９に示すように、薬剤投与の終了が、表示部６に「注射完了」と表示される。
【００２７】
図９に示す表示部６のＯＫボタンが押されると、時計１６から今日の日付（２０１３年５月１０日）が読み取られ、記憶部１５の薬剤投与情報Ｔ１の（３）薬剤投与日が今日の日付に更新される（図７のＳ９）。
その後、今日の日付に薬剤投与情報Ｔ１の（２）投与間隔を加えたものが次回の薬剤投与日として算出され、図１０に示すように、次回の薬剤投与日を「次の注射は  ２０１３／５／１７  ７日後の金曜日です」と表示部６に表示する。また、表示部６の下部に、次回の薬剤注入日に対する確認入力を行うＯＫボタン（確認ボタンの一例）１７が表示される（図７のＳ１０）。
【００２８】
そして、所定時間（例えば５分）、患者からの入力を待つ（図７のＳ１１〜Ｓ１３を繰り返す）。
ここで、所定時間内にＯＫボタン１７が操作されると（図７のＳ１１）、この操作が薬剤投与日に対する確認入力として受け付けられ、制御部１４により薬剤投与情報Ｔ１の（４）投与日確認が「有り」と設定される（図７のＳ１４）。
確認入力が受け付けられたので、次回、薬剤注入装置１の電源がオンにされると、上述のように、次回の薬剤投与日（図５のＥ１）とともに、時事情報（図５のＥ２）がサービスとして表示部６に表示されることとなる。
【００２９】
その後、所定の電源オフ処理動作が行われ、薬剤注入装置１の電源がオフにされる（図７のＳ７）。
なお、図７のＳ１１〜Ｓ１３で所定時間が経過した時（図７のＳ１２）、もしくは、電源ボタン４が押された時には（図７のＳ１３）、薬剤投与情報Ｔ１の（４）次回投与日確認は「無し」と設定される（図７のＳ１５）。
そして、所定の電源オフ処理動作を行った後、薬剤注入装置１の電源をオフにして一連の動作を終了する（図７のＳ７）。
【００３０】
以上説明したごとく、本実施形態においては、薬剤の投与後に次回の薬剤投与日を表示させ、この次回の薬剤投与日に対する確認入力を受け付けると、次回の薬剤投与日に対応する時事情報を記憶部１５から読み出して表示させるものである。
このため、薬剤の投与後に患者が次回の薬剤投与日を確認すると、この投与日確認を行ったサービスとして、薬剤投与日に関する時事情報が、次回の薬剤投与時に表示されることとなる。
【００３１】
したがって、患者は「次の薬剤投与日の時事情報は何だろう？」と楽しみにしながら、薬剤投与日を確認する事ができ、この確認により定期的な薬剤投与が行われることとなる。
その結果として、治療効果を高める事ができるものとなる。
また、たとえ次回の薬剤投与日を忘れていたとしても、例えばテレビニュースにより「本日は○○記念日です」と聞けば、薬剤投与日であることを思い出し、このような状況からも薬剤投与が適切に行われ、その結果として、治療効果を高める事ができるのである。
【００３２】
さらに、このような時事情報を、治療をがんばっている患者に対して一つの楽しみとして提供することができるので、患者にわくわく感を持って治療を続けてもらう事ができる。
さらにまた、本実施形態においては、時事情報テーブルを各国毎に用意し、各国に対応した時事情報を提供できるものとしている。
具体的には、図６の時事情報テーブルＪ１は日本語で記述された日本向けであるが、図１１に示す時事情報テーブルＪ２は英語で記述されたアメリカ向けとなっている。
【００３３】
そして、図７のＳ３、図７のＳ１０において、図１１の時事情報テーブルＪ２から時事情報が選択されると、例えば、図１２に示すように英語で時事情報が表示される。なお、この時事情報テーブルＪ２は記憶部１５に記憶させておく。
また、この各国語の選択は、予め記憶部１５に各国語選択として設定される。そして時事情報を表示する時には、この各国語選択を参照して、この各国語選択に対応する時事情報テーブルＪ１、Ｊ２から適切な時事情報を選択し、表示部６に表示する。
【産業上の利用可能性】
【００３４】
以上のように、本発明は、薬剤シリンジ装着部を有する本体ケースと、この薬剤シリンジ装着部に装着される薬剤シリンジに対して可動自在に設けたピストンと、このピストンを駆動する駆動機構と、この駆動機構に電気的に接続した制御部と、この制御部に接続された表示部および記憶部と、を備え、前記制御部は、前記駆動機構によって薬剤シリンジ内の薬剤を注射針から押し出し動作させた後に、前記表示部に次回の薬剤投与日を表示させ、この次回の薬剤投与日に対する確認入力を受け付けると、前記表示部に、前記次回の薬剤投与日に対応する時事情報を前記記憶部から読み出して表示させる構成としたので、治療効果を高めることができる。
【００３５】
すなわち、本発明においては、薬剤の投与後に次回の薬剤投与日を表示させ、この次回の薬剤投与日に対する確認入力を受け付けると、次回の薬剤投与日に対応する時事情報を記憶部から読み出して表示させる。
このため、薬剤の投与後に患者が次回の薬剤投与日を確認すると、この投与日確認を行ったサービスとして、薬剤投与日に関する時事情報が、次回の薬剤投与時に表示されることとなる。
【００３６】
したがって、患者は「次の薬剤投与日の時事情報は何だろう？」と楽しみにしながら、薬剤投与日を確認する事ができ、この確認により定期的な薬剤投与が行われることとなる。
その結果として、治療効果を高める事ができるものとなる。
したがって、例えば、インスリンや成長ホルモンなどの薬剤を投与する薬剤注入装としての活用が期待されるものである。
【符号の説明】
【００３７】
１  薬剤注入装置
２  本体ケース
３  注射針
４  電源ボタン
５  薬剤注入ボタン
６  表示部
７  カートリッジホルダ
８  薬剤シリンジ
９  ピストン
１０  ピストン送りねじ
１１  歯車
１２  モータ
１３  電池
１４  制御部
１５  記憶部
１６  時計
１７  ＯＫボタン
【図１】
2015139485.tif 000003
【図２】
2015139485.tif 000004
【図３】
2015139485.tif 000005
【図４】
2015139485.tif 000006
【図５】
2015139485.tif 000007
【図６】
2015139485.tif 000008
【図７】
2015139485.tif 000009
【図８】
2015139485.tif 000010
【図９】
2015139485.tif 000011
【図１０】
2015139485.tif 000012
【図１１】
2015139485.tif 000013
【図１２】
2015139485.tif 000014